(57)【特許請求の範囲】
【請求項１】
点光源を導光板の一側面に沿って配置し、
前記導光板の出射面側に、前記導光板の有効発光領域の全域を覆うことが可能な形状を有する光拡散部材を配置した面光源装置において、
前記光拡散部材が、
前記光拡散部材の表裏の少なくともどちらか一つの主面に、
前記光拡散部材の外側縁に沿う領域に形成した枠状遮光部と、
前記点光源に対応する位置において前記枠状遮光部に繋げてその内側方向へ突出するように形成した光吸収性の突出遮光部と、を有する、
ことを特徴とする面光源装置。
【請求項２】
点光源を導光板の一側面に沿って配置し、
前記導光板の出射面側に、前記導光板の有効発光領域の全域を覆うことが可能な形状を有する光拡散部材を配置した面光源装置において、
前記光拡散部材の表裏の少なくともどちらか一つの主面側には、前記有効発光領域の外側を囲むように形成された遮光枠体を配置し、
前記遮光枠体が、前記光拡散部材の外側縁に沿う領域に形成した枠状遮光部と、前記点光源に対応する位置において前記枠状遮光部に繋げてその内側方向へ突出するように形成した光吸収性の突出遮光部と、を有する、
ことを特徴とする面光源装置。
【請求項３】
前記点光源の発光中心位置と前記突出遮光部の幅方向中心位置とを合致させ、
前記導光板の前記一側面から前記有効発光領域の前記点光源側の外縁までの最短距離をＬとし、
前記導光板の前記一側面から前記枠状遮光部の内周縁までの最短距離をＬ１とし、
前記枠状遮光部の前記内周縁から前記突出遮光部の先端までの最短距離をＬ２とし、
前記点光源の発光部に対向する前記一側面における入射幅寸法をＷＬとし、
前記突出遮光部と前記枠状遮光部との接続部の幅寸法をＷＢとし、
前記導光板の材料によって定まる臨界角をθとすると、
Ｌ≧Ｌ１＋Ｌ２
且つ
ＷＢ≧ＷＬ＋２Ｌ１ ｔａｎθ
となることを特徴とする請求項１又は２に記載の面光源装置。
【請求項４】
前記請求項１乃至３のいずれかに記載の面光源装置と、該面光源装置から出射された面状の照明光によって照明される被照明部材と、を備えたことを特徴とする表示装置。
【発明の詳細な説明】
【技術分野】
【０００１】
この発明は、携帯型電話機、携帯型電子端末装置、カーナビゲーション装置、パーソナルコンピュータ、ビデオカメラ、デジタルカメラ、電子手帳、液晶テレビ等において、液晶表示パネルや広告プレート等の被照明部材を裏面側から面状に照明するバックライト等として使用される面光源装置、及びこの面光源装置を備えた表示装置に関するものである。
【背景技術】
【０００２】
従来から、図７に示すように、面光源装置１００及びこれを備えた表示装置１０１は、導光板１０２の矩形形状の出射面１０３上に、この導光板１０２の出射面１０３とほぼ同形状の光拡散部材１０４や光制御部材１０５〜１０６を重ねて配置し、導光板１０２の出射面１０３に対向する光拡散部材１０４の外側縁に沿って枠状の遮光部１０７を形成することにより、導光板１０２とこの導光板１０２を収容する図示しないフレームとの間の隙間から光漏れが生じるのをその遮光部１０７によって防止すると共に、出射光輝度にばらつきがある光の出射をその遮光部１０７によって遮蔽し、ほぼ均一な輝度の光で液晶表示パネル（被照明部材）１０８を効率的に照明ができるように工夫されている。なお、導光板１０２の裏面側には光反射部材１０９を配置するようになっている（特許文献１参照）。
【０００３】
しかし、このような面光源装置１００において、特に、点光源として複数のＬＥＤ１１０を使用する場合、図８に示すように、導光板１０２の入射面１１１近傍の出射面１０３のうち（図７参照）、ＬＥＤ１１０の発光部近傍が他部よりも明るく光り（明部１１２となり）、隣り合うＬＥＤ１１０，１１０間及び入射面１１１側の両コーナー部が他部よりも暗くなりやすい（斜線で示す暗部１１３になりやすい）。このような導光板１０２の入射面１１１近傍の出射面１０３に生じる明暗の差は、いわゆる蛍現象として導光板１０２の出射面１０３側から観察され、照明品質を低下させる。
【０００４】
そこで、複数のＬＥＤ１１０を光源として使用する面光源装置１００は、蛍現象の発生を効果的に防止するため、図９に示すように、導光板１０２の入射面１１１側に位置する遮光部１０７の幅を他部よりも大きくし、有効発光領域を狭めることにより、出射光輝度を均一化することが考えられる。
【０００５】
また、図１０に示す面光源装置１００のように、導光板１０２の出射面に対向するように配置される光拡散部材１０４に、光吸収体１１４をＬＥＤ１１０の発光部に対向するように部分的に配置することも考えられる（特許文献２）。
【０００６】
【特許文献１】特開２００５−２４７７４号公報（特に図１参照）。
【特許文献２】特開２００４−２１３９２１号公報（特に図１参照）。
【発明の開示】
【発明が解決しようとする課題】
【０００７】
しかしながら、図９に示すように、導光板１０２の入射面１１１側に位置する遮光部１０７の幅寸法を大きくする場合、光の吸収量が大きくなりすぎ、出射光輝度が全体的に低下する（光の利用効率が低下する）という問題を有していた。
【０００８】
また、図１０に示すように、ＬＥＤ１１０の発光部に対向するように遮光部（光吸収体１１４）を部分的に形成する場合、その部分的な遮光部の周囲に明部が生じやすく、出射光輝度の均一化を図ることが容易でなかった。
【０００９】
そこで、本発明は、光源としてＬＥＤ等の点光源を使用する面光源装置において、可能な限り光の利用効率を高め、容易に且つ確実に出射光輝度の均一化を図ることができるようにする。
【課題を解決するための手段】
【００１０】
請求項１の発明は、点光源を導光板の一側面に沿って配置し、前記導光板の出射面側に、前記導光板の有効発光領域の全域を覆うことが可能な形状を有する光拡散部材を配置した面光源装置に関するものである。この面光源装置において、前記光拡散部材が、前記光拡散部材の表裏の少なくともどちらか一つの主面に、前記光拡散部材の外側縁に沿う領域に形成した枠状遮光部と、前記点光源に対応する位置において前記枠状遮光部に繋げてその内側方向へ突出するように形成した光吸収性の突出遮光部と、を有することを特徴としている。
【００１１】
請求項２の発明は、点光源を導光板の一側面に沿って配置し、前記導光板の出射面側に、前記導光板の有効発光領域の全域を覆うことが可能な形状を有する光拡散部材を配置した面光源装置に関するものである。この面光源装置において、前記光拡散部材の表裏の少なくともどちらか一つの主面側には、前記有効発光領域の外側を囲むように形成された遮光枠体を配置した面光源装置である。そして、前記遮光枠体が、前記光拡散部材の外側縁に沿う領域に形成した枠状遮光部と、前記点光源に対応する位置において前記枠状遮光部に繋げてその内側方向へ突出するように形成した光吸収性の突出遮光部と、を有することを特徴としている。
【００１２】
請求項３の発明は、請求項１又は２の面光源装置において、前記点光源の発光中心位置と前記突出遮光部の幅方向中心位置とを合致させ、前記導光板の前記一側面から前記有効発光領域の前記点光源側の外縁までの最短距離をＬとし、前記導光板の前記一側面から前記枠状遮光部の内周縁までの最短距離をＬ１とし、前記枠状遮光部の前記内周縁から前記突出遮光部の先端までの最短距離をＬ２とし、前記点光源の発光部に対向する前記一側面における入射幅寸法をＷＬとし、前記突出遮光部と前記枠状遮光部との接続部の幅寸法をＷＢとし、前記導光板の材料によって定まる臨界角をθとすると、
Ｌ≧Ｌ１＋Ｌ２
且つ
ＷＢ≧ＷＬ＋２Ｌ１ ｔａｎθ
となることを特徴としている。
【００１３】
請求項４の発明は、前記請求項１乃至３のいずれかの発明に係る面光源装置と、該面光源装置から出射された面状の照明光によって照明される被照明部材と、を備えたことを特徴とする表示装置である。
【発明の効果】
【００１４】
請求項１及び２の発明によれば、導光板の外縁側から漏出する光を枠状遮光部で吸収し、照明光として利用できない光が光制御部材を透過して漏出するのを防止することができると共に、点光源の発光部に対応して生じるいわゆる蛍現象を突出遮光部によって防止でき、均質な照明光を効率的に出射させることができる。
【００１５】
請求項３の発明によれば、導光板の材質（屈折率）や希望する有効発光領域（照明光として利用できる出射光領域）の広さと位置に応じて突出遮光部の大きさを決定することにより、遮光領域（枠状遮光部及び突出遮光部）を必要最小限の大きさに形成することができ、遮光領域での光のロスを最小限に抑えることができると共に、有効発光領域において均質な照明光を効率的に出射させることができる。
【００１６】
請求項４の発明によれば、面光源装置から出射される均質な照明光によって被照明部材が照明され、表示品質が向上する。
【発明を実施するための最良の形態】
【００１７】
以下、本発明の最良の形態を図面に基づき詳述する。
【００１８】
（面光源装置及びこれを備えた表示装置の構成）
図１乃至図３は、本実施の形態に係る表示装置１を示すものである。このうち、図１は、表示装置１の分解斜視図を示すものである。また、図２は、図１のＡ−Ａ線に沿って切断して示す表示装置１の断面図である。また、図３は、液晶表示パネル（被照明部材）３，第１及び第２の光制御部材１２，１３を取り除いて示す表示装置１の平面図である。
【００１９】
これらの図に示す表示装置１は、面光源装置２によって液晶表示パネル（被照明部材）３を面状に照明するようになっている。面光源装置２は、導光板４と、この導光板４の入射面（側面）５に対向するように複数配置された点光源としてのＬＥＤ（発光ダイオード）６と、導光板４の裏面７側に配置された光反射部材８と、導光板４の出射面１０側に重ねて配置された１枚の光拡散部材１１と２枚の光制御部材１２〜１３と、を備えている。導光板４に最も近い位置に配置される光拡散部材１１は、導光板４からの出射光を拡散して出射する拡散シートである。また、この光拡散部材１１上に重ねて配置される第１乃至第２の光制御部材１２，１３は、光拡散部材１１からの光を導光板４の出射面１０の法線方向寄りに集光して出射させるように機能するプリズムシートである。
【００２０】
この面光源装置２は、ＬＥＤ６からの光を導光板４の入射面５から導光板４の内部に入射させた後、この導光板４の内部を伝播する光のうち導光板４の出射面１０に対する入射角が臨界角以下になった光を導光板４の出射面１０から出射させ、その出射した光を光拡散部材１１によって拡散させた後、第１乃至第２の光制御部材１２〜１３によって導光板４の出射面１０の法線方向寄りに集光するようになっている。
【００２１】
（導光板）
導光板４は、ポリメタクリル酸メチル（ＰＭＭＡ）、ポリカーボネート（ＰＣ）、シクロオレフィン系樹脂材料等の光透過性に優れた材料を使用して形成してある。この導光板４は、図１乃至図３に示すように、平面形状が略四角形状の板状体であり、ＬＥＤ６が配置される入射面５側の板厚を最も厚く形成し、入射面５から遠ざかる（Ｙ方向に向かう）にしたがって板厚を漸減する（例えば、傾斜角αで板厚を漸減する）ようになっている。
【００２２】
また、導光板４の裏面７には、出射面１０からの光りの出射を促すシボ（図示せず）が形成されている。この導光板４の裏面７に形成するシボは、要求される出射光特性に応じてその形状、分布状態（パターンの形状等）及び分布密度が決定されるようになっている。
【００２３】
（光拡散部材）
光拡散部材１１は、光透過性に優れた樹脂材料（例えば，ポリエチレンテレフタレート（ＰＥＴ）、ＰＭＭＡ、ＰＣ）でフィルム状に形成してあり、図１乃至図３に示すように、平面形状が導光板４の出射面１０とほぼ同様の四角形状であり、且つ導光板の出射面１０よりも僅かに大きな平面形状になるように形成してある。この光拡散部材１１は、入射面（導光板４に対向する側の下面）と出射面（第１の光制御部材１２に対向する側の上面）の少なくとも一方が粗面になっており、導光板４からの出射光を拡散した状態で第１の光制御部材１２側に出射するようになっている。そして、この光拡散部材１１の外側縁（４辺）１４〜１７の下面側には、遮光性部材（黒色，灰色等の光吸収性を有する遮光性インク）を所定幅だけ塗布し、第１の遮光領域（枠状遮光部）２０を形成してある。この第１の遮光領域２０は、導光板４の４側面５，２１〜２３側から上方に（例えば、図示しないフレームとの隙間から上方に）漏出する光を吸収し、照明光として使用できない光が液晶表示パネル３側に漏れるのを防ぐようになっている。
【００２４】
また、この光拡散部材１１は、図１乃至図４に示すように、ＬＥＤ６側の第１の遮光領域２０で、且つ、ＬＥＤ６に対向する位置に矩形形状に遮光性部材を塗布し、第１の遮光領域２０から突出する第２の遮光領域（突出遮光部）２４，２４を形成してある。この第２の遮光領域２４は、その幅方向中心位置Ｃ１とＬＥＤ６の発光中心位置Ｃ２とが合致し、導光板４の入射面５からＬＥＤ６側（点光源側）の有効発光領域の外縁３０までの最短距離Ｌとし、導光板４の入射面５から導光板４上に配置した光拡散部材１１の第１の遮光領域２０の内周縁までの最短距離をＬ１とし、第１の遮光領域２０から第２の遮光領域２４の先端までの最短距離をＬ２とし、ＬＥＤ６の発光部幅寸法をＷＬとし、第２の遮光領域２４と第１の遮光領域２０との接続部における幅寸法をＷＢとし、導光板４の材料によって定まる臨界角をθとすると、次式を満たすように形成される。尚、Ｌ１は、入射面５と図示しないフレームとの隙間から液晶表示パネル３側に漏れる光を遮るのに必要な最小限の幅であればよい。
【００２５】
（数１）
Ｌ≧Ｌ１＋Ｌ２
【００２６】
（数２）
ＷＢ≧ＷＬ＋２・Ｌ１ｔａｎθ
（第１の光制御部材）
第１の光制御部材１２は、光透過性に優れた樹脂材料（例えば，ポリエチレンテレフタレート（ＰＥＴ）、ＰＭＭＡ、ＰＣ）でフィルム状に形成してあり、図１乃至図２に示すように、平面形状が導光板４の出射面１０とほぼ同様の四角形状になるように形成してある。そして、この第１の光制御部材１２は、その上面（光拡散部材１１とは反対側の面）側に、導光板４の入射面５の長手方向（図１の幅方向）に沿って延びるプリズム状突起２５を、平行に且つ連続して多数形成してある。この第１の光制御部材１２のプリズム状突起２５は、断面略三角形状に形成してあり、導光板４の入射面５に直交し且つ出射面１０に直交する仮想平面内において、光拡散部材１１から出射する光を導光板４の出射面１０の法線方向寄りに偏向するように機能する。
【００２７】
（第２の光制御部材）
第２の光制御部材１３は、第１の光制御部材１２と同様に、光透過性に優れた樹脂材料（例えば，ポリエチレンテレフタレート（ＰＥＴ）、ＰＭＭＡ、ＰＣ）でフィルム状に形成してあり、図１乃至図２に示すように、平面形状が導光板４の出射面１０とほぼ同様の四角形状になるように形成してある。そして、この第２の光制御部材１３は、その上面（第１の光制御部材１２とは反対側の面）側に、第１の光制御部材１２のプリズム状突起２５と直交する方向に延びるプリズム状突起２６が平行に且つ連続して多数形成してある。この第２の光制御部材１３のプリズム状突起２６は、断面略三角形状に形成してあり、導光板４の入射面５に平行で且つ出射面１０に直交する仮想平面内において、第１の光制御部材１２から出射する光を導光板４の出射面１０の法線方向寄りに偏向するように機能する。
【００２８】
（光反射部材）
光反射部材８は、白色の顔料を混ぜてシート状にした光反射性に優れたＰＥＴシートや、アルミニウム等の光反射性に優れた金属をシート状樹脂部材（例えば、ＰＥＴシート）の表面に蒸着したフィルム状部材であり、図１及び図２に示すように、平面形状が導光板４の裏面７とほぼ同様の四角形状になっている。この光反射部材８は、導光板４の裏面７側から出射する光を反射して導光板４内部に戻すように機能する。なお、光反射部材８は、導光板４が収容されるフレーム（図示せず）の内部を光反射性に優れた表面（白色化した表面）とし、その光反射機能を備えたフレーム自体を光反射部材としてもよい。また、この光反射部材８は、銀やアルミニウムの鏡面反射部材でもよい。
【００２９】
（その他の実施形態）
最良の形態において示した、導光板４の出射面１０に対向して配置（出射面１０の直上に配置）した光拡散部材１１に第１及び第２の遮光領域２０，２４を形成するものとは別の形態を図５及び図６に示す。
【００３０】
図５に示す表示装置１’（面光源装置２’）における、導光板４と液晶表示パネル（被照明部材）３との間に配置される照明光の出射方向を調整するための部材以外の構成は、前述の最良の形態において示した構成と同様である。ここでは、最良の形態と相違する部材の構成についてのみを示す。先ず、第１及び第２の遮光領域２０，２４を形成しない光拡散部材１８を導光板４の出射面１０上に配置し、その上には最良の形態と同様の第１及び第２の光制御部材１２，１３を重ねて配置し、更にその上に、光拡散部材１１を配置する。この光拡散部材１１に、前述の最良の形態と同様の第１及び第２の遮光領域２０，２４を形成する。
【００３１】
図６に示す表示装置１”（面光源装置２”）は、図５の表示装置１’（面光源装置２’）の光拡散部材１１の代わりに遮光枠体４１を配置したものであり、図５の表示装置１’と同一構成部分には同一符号を付し、図５の表示装置１’と重複することになる説明を省略する。この図６に示す表示装置１”において、遮光枠体４１は、図５の光拡散部材１１の第１及び第２の遮光領域２０，２４によって構成された額縁状のフィルム状部材である。尚、図６に示す表示装置１”は、液晶表示パネル３と第２の光制御部材１３との間に遮光枠体４１を配置する態様を示したが、これに限られず、液晶表示パネル３と第２の光制御部材１３との間ではなく、光拡散部材１８の表裏のいずれか一方の主面側に遮光枠体４１を配置するようにしてもよい。
【００３２】
（最良の形態及びその他の実施形態による作用・効果）
前述の発明を実施するための最良の形態及びその他の実施の形態は、導光板４の入射面５に直交する両側面２１，２３及び入射面５に対向する側面２２と図外のフレームとの間から漏出する光を光拡散部材１１や遮光枠体４１の第１の遮光領域２０で吸収し、照明光として利用できない光が液晶表示パネル３側に漏出するのを防止することができると共に、ＬＥＤ６の発光部に対応して生じるいわゆる蛍現象を入射面５側の第１の遮光領域２０及び第２の遮光領域２４，２４によって防止でき、均質な照明光を出射させることができる。
【００３３】
また、これら上述の実施形態の光拡散部材１１及び遮光枠体４１は、その外側縁に沿ってほぼ均一幅で第１の遮光領域２０を形成し、ＬＥＤ６の近傍から局所的に明るく観察される部分の出射光を遮光するための第２の遮光領域２４，２４を必要最小限の大きさで形成することにより、図９に示した従来例のような不具合（光の吸収率が大きくなりすぎるという不具合）を生じることなく、光の利用効率を高め、均質で且つ明るい照明光を出射することが可能になる。
【００３４】
また、これら上述の実施形態の光拡散部材１１及び遮光枠体４１は、第１の遮光領域２０及び第２の遮光領域２４によって、いわゆる蛍現象を効果的に防止できるため、有効発光領域（図４の二点鎖線で示す四角形の領域）を広くすることができる。
【００３５】
また、上述の実施形態のような、光拡散部材１１とは分離して第１及び第２の遮光領域２０，２４のみを形成した遮光枠体４１は、遮光性を有する基材（黒色のシート等）自体を打ち抜き加工することによって形成することができるため、光拡散部材１１に印刷によって第１及び第２の遮光領域２０，２４を形成する場合に比べて、印刷時に必要な版の作製や印刷工程そのものを省略することができ、製造プロセスの簡略化や低コスト化を図ることができる。
【００３６】
なお、導光板４の出射面１０又はそれと対向する面には、入射面５に対してほぼ直交する方向（図１のＹ方向）に延びる断面略三角形状のプリズム状の突起（図示せず）を入射面５の長手方向（図１の幅方向）に沿って平行に且つ連続して多数形成してもよい。このプリズム状の突起によって、第２の光制御部材１３と同様の作用効果が得られるため、第２の光制御部材１３を省略してもよい。更に、第１の光制御部材１２をそのプリズム面が導光板４の出射面１０に対向するように配置し、第１及び第２の遮光領域２０，２４は、第１の光制御部材１２上に配置した光拡散部材１１に形成するようにようにして高輝度化を図ることもできる。
【００３７】
また、本発明は、上述の実施形態のように、ＬＥＤ６を複数個（２個又はそれ以上の個数）配置し、そのＬＥＤ６に対応して第２の遮光領域２４，２４を形成する態様に限定されず、ＬＥＤ６を単数のみ使用し、その単数のＬＥＤ６のみに対応して第２の遮光領域２４を形成するようにしてもよい。
【００３８】
また、本発明は、光拡散部材１１や遮光枠体４１の第２の遮光領域２４を矩形形状に形成する上述の実施形態に限られず、正方形、半月形状、台形形状、その他の多角形状等に形成してもよい。
【００３９】
また、本発明は、上述の実施形態のように、導光板４の板厚を入射面５から遠ざかるにしたがって漸減する態様に限定されず、平板状に形成してもよい。
【００４０】
また、図４に示す光拡散部材１１や遮光枠体４１は、入射面５側をＬＥＤ６を覆う位置まで延ばし（例えば、ΔＬだけ−Ｙ方向に延ばし）、それに応じて入射面５側の第１の遮光領域２０を−Ｙ方向に拡げるようにしてもよい。この場合、第１の遮光領域２０のＬＥＤ６側の幅は、Ｌ１＋ΔＬとなる。
【００４１】
また、図４に示す光拡散部材１１または遮光枠体４１は、第１の遮光領域２０が光拡散部材１１または遮光枠体４１の外側縁１４〜１７に沿ってほぼ同一幅に形成されているが、これに限られるものでなく、例えば、外側縁１４側の第１の遮光領域２０の幅と、他の外側縁１５〜１７の第１の遮光領域２０の幅とを異なる寸法にしてもよい。なお、このような第２の遮光領域２４，２４がより効果的に作用するのは、Ｌ／Ｐ≦０．６５（Ｐ：ＬＥＤ６の配置ピッチ）、更に効果的なのは、Ｌ／Ｐ≦１／（２・ｔａｎθ）の場合であり、この範囲外では第２の遮光領域２４，２４を形成しなくても、いわゆる蛍現象発生部分が有効発光領域外となるため、本発明のような工夫は不要となる。
【産業上の利用可能性】
【００４２】
本発明の面光源装置は、被照明部材として液晶表示パネルを使用する画像表示装置のみならず、室内照明装置や広告プレートの面状光源として広く使用することが可能である。
【図面の簡単な説明】
【００４３】
【図１】本発明の最良の形態に係る表示装置及び面光源装置の分解斜視図である。
【図２】図１のＡ−Ａ線に沿って切断して示す表示装置及び面光源装置の断面図である。
【図３】液晶表示パネル（被照明部材），第１及び第２の光制御部材を取り除いて示す表示装置の平面図である。
【図４】ＬＥＤ及び導光板と光拡散部材または遮光枠体に形成された遮光領域との関係を示す平面図である。
【図５】本発明のその他の実施形態（第１例）に係る表示装置及び面光源装置の分解斜視図である。
【図６】本発明のその他の実施形態（第２例）に係る表示装置及び面光源装置の分解斜視図である。
【図７】第１の従来例に係る表示装置及び面光源装置の分解斜視図である。
【図８】図５の従来例における表示装置及び面光源装置のＬＥＤ及び導光板と光拡散部材との関係を示す図である。
【図９】第２の従来例におけるＬＥＤ及び導光板と光拡散部材との関係を示す図である。
【図１０】第３の従来例におけるＬＥＤ及び導光板と光拡散部材との関係を示す図である。
【符号の説明】
【００４４】
１，１’，１”……表示装置、２，２’，２”……面光源装置、３……液晶表示パネル（被照明部材）、４……導光板、５……入射面（一側面）、６……ＬＥＤ（点光源）、１０……出射面、１１……光拡散部材、１４，１５，１６，１７……外側縁、２０……第１の遮光領域（枠状遮光部）、２４……第２の遮光領域（突出遮光部）、４１……遮光枠体
【図１】
0004523530.tif 000002
【図２】
0004523530.tif 000003
【図３】
0004523530.tif 000004
【図４】
0004523530.tif 000005
【図５】
0004523530.tif 000006
【図６】
0004523530.tif 000007
【図７】
0004523530.tif 000008
【図８】
0004523530.tif 000009
【図９】
0004523530.tif 000010
【図１０】
0004523530.tif 000011